(57)【要約】【課題】光ディスクの装着性向上と光ディスク装着時にかかるねじれ応力の軽減、光ディスク装置本体重量の軽量化を図ることが可能な光ディスク装置を提供することを目的とする。【解決手段】本発明の光ディスク装置は、筐体２と、筐体２から出没自在に取り付けられたトレイ３と、筐体２とトレイ３を移動自在に保持する保持部を有し、前記保持部は筐体２に設けられた第一のレール取付部６とトレイに設けられた第二のレール取付部４と前記第一、第二のレール取付部４、６に摺動可能に設けられたレール５ａ、５ｂにより構成される光ディスク装置１であって、第一、第二のレール取付部４、６に摺動可能に設けられた左右２箇所のレールのうち、一方のレールが他方のレールの材質と異なった金属系材料を用いるものである。【選択図】図１
2005259281.tif 000002
【特許請求の範囲】
【請求項１】
筐体と、前記筐体から出没自在に取り付けられたトレイと、前記筐体と前記トレイを移動自在に保持する保持部を有し、前記保持部は前記筐体に設けられた第一のレール取付部と前記トレイに設けられた第二のレール取付部と前記第一、第二のレール取付部に摺動可能に設けられたレールを有する光ディスク装置であって、一方のレールが他方のレールで用いた金属系材料と異なった金属系材料を用いることを特徴とする光ディスク装置。
【請求項２】
前記第一、第二のレール取付部に摺動可能に設けられた左右２箇所のレールのうち、一方のレールが他方で用いている金属系材料より強度が強い金属系材料を用いたことを特徴とする請求項１記載の光ディスク装置。
【請求項３】
前記第一、第二のレール取付部に摺動可能に設けられた左右２箇所のレールのうち、一方のレールが他方で用いている金属系材料より比重が小さい金属系材料を用いたことを特徴とする請求項１記載の光ディスク装置。
【請求項４】
筐体と、前記筐体から出没自在に取り付けられたトレイと、前記筐体と前記トレイを移動自在に保持する保持部を有し、前記保持部は前記筐体に設けられた第一のレール取付部と前記トレイに設けられた第二のレール取付部と前記第一、第二のレール取付部に摺動可能に設けられたレールを有する光ディスク装置であって、左右２箇所のレールが同一材料であり、かつ、一方のレールは他方のレールより厚さが薄いことを特徴とする光ディスク装置。
【請求項５】
筐体と、前記筐体から出没自在に取り付けられたトレイと、前記筐体と前記トレイを移動自在に保持する保持部を有し、前記保持部は前記筐体に設けられた第一のレール取付部と前記トレイに設けられた第二のレール取付部と前記第一、第二のレール取付部に摺動可能に設けられたレールを有する光ディスク装置であって、左右２箇所のレールが同一材料であり、かつ、少なくとも一方のレールは嵌合もしくは摺動停止に供さない切り欠きや穴を設けたことを特徴とする光ディスク装置。
【発明の詳細な説明】
【技術分野】
【０００１】
本発明はパーソナルコンピュータ等の電子機器に内蔵もしくは外付けで使用される光ディスク装置に関するものである。
【背景技術】
【０００２】
電子機器に搭載されるＣＤ−ＲＯＭ／Ｒ／ＲＷ、ＤＶＤ−ＲＯＭ／ＲＡＭ／Ｒ／ＲＷなどの光ディスク装置の光ディスク装着方法としては、ノートブック型パーソナルコンピュータ内蔵用に代表されるように筐体からトレイが引き出され、このトレイに光ディスクを取り付け、再び筐体に戻して装着する方式（以下トレイ方式と称する）が一般的である。以下、従来のトレイ方式光ディスク装置の構成について、図を参照しながら説明する。
【０００３】
図４は従来の光ディスク装置を示す外観斜視図で、筐体２からトレイ３を引き出した状態を示している。図４において、２は筐体で、筐体２は上部筐体部２ａと下部筐体部２ｂを組み合わせて構成されている。なお、上部筐体部２ａと下部筐体部２ｂとは螺旋などを用いて、互いに固着されている。３は筐体に出没自在に設けられたトレイ、１１はトレイ３に設けられたスピンドルモータ、７は光ピックアップで、光ピックアップ７は少なくとも図示していない光源や各光学部材を搭載し、光ディスクに光を照射することで、光ディスクに情報を書き込むか或いは情報を読み出す動作の少なくとも一方を行う。１２はトレイ３の前端面に設けられたベゼルで、ベゼル１２はトレイ３が筐体２内に収納された時に、トレイ３の出没口を塞ぐように構成されている。５ａ、５ｂはそれぞれトレイ３及び筐体２の双方に摺動自在に取り付けられたレールで、トレイ３の両側部にこのレール５ａ、５ｂは設けられており、このレール５ａ、５ｂにて図４で示す矢印Ａ方向に筐体２からトレイ３が出没自在に取り付けられている。筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置内に電力を供給したり、或いは外部からの電気信号を光ディスク装置内に導いたり、あるいは光ディスク装置で生成された電気信号を電子機器などに送出する。
【０００４】
トレイ３の前端面に設けられたベゼル１２にはイジェクトボタン１３が設けられており、このイジェクトボタン１３を押すことで、筐体２に設けられた係合部（図示せず）とトレイ３に設けられた係合部（図示せず）との係合を解除し、トレイ３は筐体２から光ディスクが着脱できるよう引き出すことが出来る。
【０００５】
図５は従来のトレイ方式における光ディスク挿入時の光ディスク装置にかかる荷重のイメージ図である。
【０００６】
図５に示すトレイ３を支持しているレール５ａ、５ｂは、トレイ３が引き出された状態において、ユーザーが光ディスクを装着する際の上からの荷重８にも耐える必要があるため、一般的には全てのレールに金属部材が用いられ、その多くはステンレス材が使用されている。
【０００７】
また、一部には、このレール５ａ、５ｂの部材として、すべてに樹脂材料を用いる場合とレール５ｂに樹脂材料、レール５ａに金属材料の組合せで用いる場合があるが、いずれの場合もユーザーが光ディスクを装着する際の上からの荷重８に対して、光ディスク装着時のトレイのねじれに関する十分な強度を有しているとは言い難い。
【０００８】
先行例としては、（特許文献１）がある。
【特許文献１】特許第２９５０１３６号公報
【発明の開示】
【発明が解決しようとする課題】
【０００９】
図６は従来のトレイ方式光ディスク装置の上方平面図であり、図７は図６に示した従来のトレイ方式光ディスク装置の上方平面図のＰ−Ｐ断面図であり、従来のトレイ方式光ディスク装置に図５に示す光ディスク装着時の荷重８がかかった状態のレール５ａ、５ｂとトレイ３等の状態を示した図である。
【００１０】
現在のノートブック型パーソナルコンピュータ内蔵用に代表される光ディスク装置の形状は、図４からもわかるように、正面から見て右側が切りかかれた形状が業界標準形状となっており、図５に示す光ディスク装着時の荷重８に対するレール５ａ、５ｂの強度を大きくとるためには、限られた空間の中でレール５ａ、５ｂの全高が最大となるようにしていた。
【００１１】
そのため、左右のレール５ａ、５ｂの形状は必然的に左側のレール５ｂが右側のレール５ａより全高が大きく設定されており、全体の強度が大きくできるものの同時に左右のレール５ａ、５ｂの強度に非対称性を生じていた。
【００１２】
すなわち、図５に示すようにレール５ａの光ディスク装着時の荷重８に対するたわみ量９ａは大きく、レール５ｂの光ディスク装着時の荷重８に対するたわみ量９ｂは小さくなる。
【００１３】
このことにより、図７に示すように光ディスクを装着する際に、かかる荷重８でトレイ３の右側のレール５ａが左側のレール５ｂより下方へ傾いて、光ディスク装着時にトレイのねじれが発生していた。
【００１４】
また、一部に用いられているレール５ａ、５ｂの部材としては、すべて樹脂材料を用いる場合やレール５ｂに樹脂材料とレール５ａに金属材料の組合わせで用いる場合があるが、レール５ａ、５ｂの部材としてすべて樹脂材料を使用する場合は、光ディスク装置の本体重量が軽量になるという利点があるもののレール５ａとレール５ｂの合成強度の観点からは金属材料を用いるものに対して著しい強度劣化がおきる。
【００１５】
レール５ｂに樹脂材料とレール５ａに金属材料の組合わせで使用する場合も光ディスク装置の本体重量が軽量になるという利点があるものの前述の同一金属材料を用いる場合と逆の現象が発生する。
【００１６】
すなわち、レール５ａの光ディスク装着時の荷重８に対するたわみ量９ａは小さくなり、レール５ｂの光ディスク装着時の荷重８に対するたわみ量９ｂは大きくなる。
【００１７】
このため、図５、図７に示すものとは逆に光ディスクを装着する際にかかる荷重８でトレイ３の左側のレール５ｂが右側のレール５ａより下方へ傾いて同一金属を用いる場合と逆の方向へ光ディスク装着時にトレイのねじれが発生していた。
【００１８】
これらのトレイに発生するねじれは、ユーザーが光ディスク装着時に不快感を感じるのみならず、光ディスク装着の回数に応じた応力が図４に示したトレイ３とトレイ３に隣接している部品すなわちレール５ａ、レール５ｂ、レール取付部４、レール取付部６、光ピックアップ７等にかかり、蓄積される。
【００１９】
これらの影響は光ディスクの装着回数に応じて大きくなるが、最悪の場合は、レールが変形することによるトレイ３の開閉機構の不具合や光ピックアップ７の位置ずれに起因する光ディスクへの情報の書き込みもしくは情報の読み出し動作の不具合に発展する。
【００２０】
また近年、ノートブック型パーソナルコンピュータの軽量化に伴い、光ディスク装置の軽量化が求められてきているが、通常のレール材料であるステンレス材を従来の方法で使用するだけでは更なる軽量化が困難となってきている。
【００２１】
本発明は上記課題を解決するものであり、光ディスクの装着性向上と光ディスク装着時にかかるねじれ応力の軽減、光ディスク装置本体重量の軽量化を図ることが可能な光ディスク装置を提供することを目的とする。
【課題を解決するための手段】
【００２２】
本発明は上記課題を解決するためになされたものであって、筐体と、前記筐体から出没自在に取り付けられたトレイと、前記筐体と前記トレイを移動自在に保持する保持部を有し、前記保持部は前記筐体に設けられた第一のレール取付部と前記トレイに設けられた第二のレール取付部と前記第一、第二のレール取付部に摺動可能に設けられたレールを有した光ディスク装置であって、一方のレールが他方のレールで用いた金属系材料と異なった金属系材料を用いるものである。
【００２３】
また、前記第一、第二のレール取付部に摺動可能に設けられた左右２箇所のレールが同一材料の場合は、一方のレールは他方のレールより厚さが薄いか、もしくは少なくとも一方のレールに嵌合もしくは摺動停止に供さない切り欠きや穴を設けたことを特徴とするものである。
【発明の効果】
【００２４】
本発明は上記構成により、光ディスクの装着性向上と光ディスク装着時にかかるねじれ応力の軽減、光ディスク装置本体重量の軽量化を図ることが可能な光ディスク装置を提供することができる。
【発明を実施するための最良の形態】
【００２５】
請求項１記載の発明は、筐体と、前記筐体から出没自在に取り付けられたトレイと、前記筐体と前記トレイを移動自在に保持する保持部を有し、前記保持部は前記筐体に設けられた第一のレール取付部と前記トレイに設けられた第二のレール取付部と前記第一、第二のレール取付部に摺動可能に設けられたレールにより構成される光ディスク装置であって、一方のレールが他方のレールで用いた金属系材料と異なった金属系材料を用いたものであり、これにより光ディスクの装着性向上と光ディスク装着時にかかるねじれ応力の軽減を図ることができる。
【００２６】
請求項２記載の発明は、前記第一、第二のレール取付部に摺動可能に設けられた左右２箇所のレールのうち、一方のレールが他方で用いている金属系材料より強度が強い金属系材料を用いたものであり、これにより光ディスク装着性の向上と光ディスク装着時にかかるねじれ応力の軽減を図ることができる。
【００２７】
請求項３記載の発明は、前記第一、第二のレール取付部に摺動可能に設けられた左右２箇所のレールのうち、一方のレールが他方で用いている金属系材料より比重が小さい金属系材料を用いたものであり、これにより光ディスク装置本体重量の軽量化を図ることができる。
【００２８】
請求項４記載の発明は、前記第一、第二のレール取付部に摺動可能に設けられた左右２箇所のレールが同一材料で、かつ、一方のレールは他方のレールより厚さが薄いことを特徴とする。これにより光ディスクの装着性向上と光ディスク装着時にかかるねじれ応力の軽減を図ることができる。
【００２９】
請求項５記載の発明は、前記第一、第二のレール取付部に摺動可能に設けられた左右２箇所のレールが同一材料で、かつ、少なくとも一方のレールに嵌合もしくは摺動停止に供さない切り欠きや穴を設けたことを特徴とする。これにより光ディスクの装着性向上と光ディスク装着時にかかるねじれ応力の軽減および光ディスク装置本体重量の軽量化を図ることができる。
【００３０】
（実施の形態１）
以下、本発明の実施の形態について、図面を参照しながら説明する。
【００３１】
図１は本発明の一実施の形態における光ディスク装置の外観図、図２は本発明の一実施の形態における光ディスク装置に光ディスクを挿入する際に光ディスク装置にかかる荷重のイメージ図である。また、図３は図６に示したトレイ方式光ディスク装置の上方平面図のＰ−Ｐ断面図であり、本発明のトレイ方式光ディスク装置に図２に示す光ディスク装着時の荷重８がかかった状態のレール５ａ、５ｂとトレイ３等の状態を示した図である。
【００３２】
図１は筐体２からトレイ３を引き出した状態を示した図であり、２は一端部開口の袋状の筐体で、筐体２は上部筐体部２ａと下部筐体部２ｂを組み合わせて構成されている。上部筐体部２ａと下部筐体部２ｂとは好ましくは螺旋などを用いて、互いに強固に固定されている。筐体２の構成材料としては鉄，鉄合金，アルミ，アルミ合金，マグネシウム合金などの金属材料や樹脂材料などによって構成される。また、上部筐体部２ａ及び下部筐体部２ｂはそれぞれ同種の材料で構成しても良いし、異種の材料で構成しても良い。また、上部筐体部２ａ及び下部筐体部２ｂそれぞれの主平面部の平均肉厚は０．３ｍｍ〜１．６ｍｍの間であり、この平均肉厚の比較的薄い場合には上部筐体部２ａ及び下部筐体部２ｂは金属材料で構成され、例えば、金属板をプレス加工などによって形成される。また、平均肉厚の比較的厚い場合には上部筐体部２ａ及び下部筐体部２ｂは樹脂材料やダイカスト（アルミ，マグネシウム合金など）で構成される。筐体２を樹脂材料で構成した場合には、光ディスク装置の軽量化を実現できる。３は筐体２に出没自在に設けられたトレイで、トレイ３は樹脂性のフレームで構成され、後述する各部が取り付けられている。１１はトレイ３に設けられたスピンドルモータ、７は光ピックアップで、光ピックアップ７は少なくとも図示していない光源や各光学部材を搭載し、光ディスクに光を照射することで、光ディスクに情報を書き込むか或いは情報を読み出す動作の少なくとも一方を行う。１２はトレイ３の前端面に設けられたベゼルで、ベゼル１２はトレイ３が筐体２内に収納された時に、トレイ３の出没口を塞ぐように構成されており、樹脂材料や金属材料で構成されている。５ａ、５ｂはそれぞれトレイ３及び筐体２の双方に摺動自在に取り付けられた断面略コ字型のレールで、トレイ３の両側部にこのレール５ａ、５ｂは設けられており、このレール５ａ、５ｂにて図１で示す矢印Ａ方向に筐体２からトレイ３が出没自在に取り付けられている。
【００３３】
筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置内に電力を供給したり、或いは外部からの電気信号を光ディスク装置内に導いたり、あるいは光ディスク装置で生成された電気信号を電子機器などに送出する。
【００３４】
トレイ３の前端面に設けられたベゼル１２にはイジェクトボタン１３が設けられており、このイジェクトボタン１３を押すことで、筐体２に設けられた係合部（図示せず）とトレイ３に設けられた係合部（図示せず）との係合を解除する。
【００３５】
以下、本発明の実施の形態１の特徴部分について説明する。
【００３６】
図１に示すようにトレイ３の両側部にはレール取付部４があり、両側部共にレール５ａ、５ｂと光ディスク引き出し方向に摺動自在に嵌合している。また、レール５ａ、５ｂは筐体２の両側部内面に設けられたレール取付部６とも光ディスク引き出し方向に摺動自在に嵌合しており、トレイ３は筐体２から光ディスクを着脱できるように引き出すことが出来る。
【００３７】
図１に示すように筐体２と、筐体２から出没自在に取り付けられたトレイ３と、筐体２とトレイ３を移動自在に保持する保持部を有し、前記保持部は筐体２に設けられたレール取付部６とトレイ３に設けられたレール取付部４とレール取付部４、６に摺動可能に設けられたレール５ａ、５ｂにより構成される光ディスク装置１において、レール取付部４、６に摺動可能に設けられた左右２箇所のレール５ａもしく５ｂをおのおの他方のレールで用いた金属系材料と異なった金属系材料を用いた構成にする。
【００３８】
またレール５ａ、５ｂの１箇所は他方で用いている金属系材料より強度が強い金属系材料を用いる。
【００３９】
本実施の一形態では、レール５ａの材質にレール５ｂより強度が強いステンレス材を、レール５ｂの材質にはアルミニウム材、アルミニウム合金等を用いる。
【００４０】
またさらに、レール５ａ、５ｂの１箇所は他方で用いている金属系材料より比重が小さい金属系材料を用いる。
【００４１】
本実施の一形態では、レール５ａの材質にステンレス材を、レール５ｂの材質にレール５ａの材質より比重が小さいアルミニウム材、アルミニウム合金もしくはマグネシウム材、マグネシウム合金等を用いる。
【００４２】
なお、本実施の形態では、レール５ａにステンレス材、レール５ｂにアルミニウム材、アルミニウム合金もしくはマグネシウム材、マグネシウム合金等を用いることとしたが、適用されるレールの形状もしくはレール５ａに用いられる材質によりレール５ｂの材質は一義的に決まるものではないため、前述の材質に限定するものではない。
【００４３】
以下、その動作について説明する。
【００４４】
図１〜図３に示す本発明のレールには、レール５ａの材質に従来から一般的に用いられてきたステンレス材を、レール５ｂに本発明に係る材質のアルミニウム材、アルミニウム合金もしくはマグネシウム材、マグネシウム合金等を用いる。ここで、右側のレール５ａにステンレス材を用いることにより、図３の右側のレール５ａのレール単体強度は従来通りの強度を維持することができる。
【００４５】
次に、左側のレール５ｂは、通常であれば同一金属材料であるステンレス材が用いられるのであるが、本発明においては、材料の強度に着目すれば、レール５ｂの材質にはアルミニウム材、アルミニウム合金等を用いて、比重に着目すればアルミニウム材、アルミニウム合金もしくはマグネシウム材、マグネシウム合金等を用いる。
【００４６】
これにより、レール５ｂ単体の強度は、レール５ｂの材質に従来同様のレール５ａと同一材質を用いた場合と比較して相対的に弱まる。
【００４７】
ところが、図１に示す業界標準形状の筐体２の中に広く用いられるレールは、レール５ｂがレール５ａに対して全高が大きいため、レール５ｂはレール５ａよりも強度が強い。
【００４８】
そのため、レール５ｂにおいては、レール５ａに対して形状的にはレール５ａよりも強度が強く、材質的にはレール５ａよりも強度が弱くなる。
【００４９】
このことにより、図２に示すように従来のレール５ａ、５ｂに同一材料を用いた場合に光ディスク装着時の荷重８が原因で発生していたレール５ａに起因するたわみ量１０ａとレール５ｂに起因するたわみ量１０ｂの差が軽減され、図２、図３に示すように光ディスクを装着する際に、かかる荷重８でトレイ３の右側のレール５ａが左側のレール５ｂより下方へ傾くことを軽減または防止して、光ディスク装着時に関する装着性の向上と光ディスク装着時に図１に示すトレイ３とトレイ３に隣接している部品すなわちレール５ａ、レール５ｂ、レール取付部４、レール取付部６、光ピックアップ７等にかかるねじれ応力の軽減を図ることができる。そのため、長期繰り返し使用時におけるレールが変形することによるトレイ３の開閉機構の不具合や光ピックアップ７の位置ずれに起因する光ディスクへの情報の書き込みもしくは情報の読み出し動作の不具合を防ぐことが可能となる。
【００５０】
また、従来のレール５ａ、５ｂの両方もしくは一方に樹脂材料を用いた場合（この場合、図５と図７においてはたわみ量９ｂ＞９ａの状態）と比較してレール５ａとレール５ｂの合成強度は強くなり、光ディスク装着時の荷重８が原因で発生していたレール５ａに起因するたわみ量１０ａとレール５ｂに起因するたわみ量１０ｂの差も軽減され、図３に示すように光ディスクを装着する際に、かかる荷重８で図２に示すトレイ３の左側のレール５ｂが右側のレール５ａより下方へ傾くことを軽減または防止して、光ディスク装着時に関する装着性の向上と光ディスク装着時に図１に示すトレイ３とトレイ３に隣接している部品すなわちレール５ａ、レール５ｂ、レール取付部４、レール取付部６、光ピックアップ７等にかかるねじれ応力の軽減を図ることができる。そのため、長期繰り返し使用時におけるレールが変形することによるトレイ３の開閉機構の不具合や光ピックアップ７の位置ずれに起因する光ディスクへの情報の書き込みもしくは情報の読み出し動作の不具合を防ぐことが可能となる。
【００５１】
さらにまた、レール５ｂにおいては、従来と同一形状の場合には、その比重効果により重量も小さくなることになる。
【００５２】
そのため、光ディスク装置本体重量の軽量化も同時に行うことが可能となる。
【００５３】
（実施の形態２）
図８は本発明の一実施の形態における光ディスク装置の外観図、図９は本発明の一実施の形態における光ディスク装置に光ディスクを挿入する際に光ディスク装置にかかる荷重のイメージ図である。図１０は図６に示したトレイ方式光ディスク装置の上方平面図のＰ−Ｐ断面図であり、本発明のトレイ方式光ディスク装置に図９に示す光ディスク装着時の荷重８がかかった状態のレール５ａ、５ｂとトレイ３等の状態を示した図である。
【００５４】
図８は図１と同様に筐体２からトレイ３を引き出した状態を示した図であり、光ディスク装置全体の構成は実施の形態１と同様である。
【００５５】
以下、本発明の実施の形態２の特徴部分について説明する。
【００５６】
図８に示すようにトレイ３の両側部にはレール取付部４があり、両側部共にレール５ａ、５ｂと光ディスク引き出し方向に摺動自在に嵌合している。また、レール５ａ、５ｂは筐体２の両側部内面に設けられたレール取付部６とも光ディスク引き出し方向に摺動自在に嵌合しており、トレイ３は筐体２から光ディスクを着脱できるように引き出すことが出来る。
【００５７】
図８に示すように筐体２と、筐体２から出没自在に取り付けられたトレイ３と、筐体２とトレイ３を移動自在に保持する保持部を有し、前記保持部は筐体２に設けられたレール取付部６とトレイ３に設けられたレール取付部４とレール取付部４、６に摺動可能に設けられたレール５ａ、５ｂにより構成される光ディスク装置１において、レール部４、６に摺動可能に設けられた左右２個所のレール５ａとレール５ｂが同一材料であり、かつ一方のレールは他方のレールより厚さが薄い構成にする。
【００５８】
本実施の形態では、レール５ａとレール５ｂの材質に通常一般的に用いられるステンレス材を用いる。レール５ｂはレール５ａに対して図１１に示すように厚さが薄いすなわち寸法Ｂ＞寸法Ｃで構成される。
【００５９】
ここで、寸法Ｂは、レール５ａの厚みであり、寸法Ｃはレール５ｂの厚みである。
【００６０】
なお、本実施の形態では一例としてレール５ａ、レール５ｂの材質にステンレス材を用いることとしたが、前述の材質に限定するものではない。
【００６１】
以下、その動作について説明する。
【００６２】
図８〜図１０に示す本発明のレールには、レール５ａとレール５ｂの材質に従来から用いられてきたステンレス材を用いる。ここで、右側のレール５ａは従来のレール構造とし、材質をステンレス材としたことで、右側のレール５ａのレール単体強度は従来通りの強度を維持することができる。
【００６３】
次に左側のレール５ｂは、通常であれば、同一材料で同一厚みのステンレス材が用いられるのであるが、本発明の一実施の形態においては右側のレール５ａと同一材料のステンレス材でかつレールの厚さが薄い材料を用いる。
【００６４】
これにより、レール５ｂ単体の強度は、レール５ｂの厚さに従来と同様の厚みのものを用いた場合と比較して相対的に弱まる。
【００６５】
ところが、図８に示す業界標準形状の筐体２の中に広く用いられるレールは、レール５ｂがレール５ａに対して全高が大きいため、レール５ｂはレール５ａよりも強度が強く、厚み的にはレール５ａよりも強度が弱くなる。
【００６６】
このことにより、図９に示すように従来のレール５ａ、５ｂに同一材料を用いて、かつレール５ｂにレールの厚さが薄い材料を用いた場合、光ディスク装着時の荷重８が原因で発生していたレール５ａに起因するたわみ量１０ａとレール５ｂに起因するたわみ量１０ｂの差が軽減され、図９、図１０に示すように光ディスクを装着する際に、かかる荷重８でトレイ３の右側のレール５ａが左側のレール５ｂより下方へ傾くことを軽減または防止して、光ディスク装着時に関する装着性の向上と光ディスク装着時に図１に示すトレイ３とトレイ３に隣接している部品すなわちレール５ａ、レール５ｂ、レール取付部４、レール取付部６、光ピックアップ７等にかかるねじれ応力の軽減を図ることができる。そのため、長期繰り返し使用時におけるレールが変形することによるトレイ３の開閉機構の不具
合や光ピックアップ７の位置ずれに起因する光ディスクへの情報の書き込みもしくは情報の読み出し動作の不具合を防ぐことが可能となる。
【００６７】
（実施の形態３）
図８は本発明の一実施の形態における光ディスク装置の外観図、図９は本発明の一実施の形態における光ディスク装置に光ディスクを挿入する際に光ディスク装置にかかる荷重のイメージ図である。また、図１０は図６に示したトレイ方式光ディスク装置の上方平面図のＰ−Ｐ断面図であり、本発明のトレイ方式光ディスク装置に図９に示す光ディスク装着時の荷重８がかかった状態のレール５ａ、５ｂとトレイ３等の状態を示した図である。
【００６８】
図８は図１と同様に筐体２からトレイ３を引き出した状態を示した図であり、光ディスク装置全体の構成は実施の形態１や実施の形態２と同様である。
【００６９】
また、図１５は従来のレール５ａ、５ｂを表した外観図であり、図１５（ａ）が右側のレール５ａで図１５（ｂ）が左側のレール５ｂである。
【００７０】
ここで、従来の一般的なレールの構成としては、材質としてステンレス材が用いられ、その厚みは右側のレール５ａ、左側のレール５ｂともに同じである。
【００７１】
以下、本発明の実施の形態３の特徴部分について説明する。
【００７２】
図８に示すようにトレイ３の両側部にはレール取付部４があり、両側部共にレール５ａ、５ｂと光ディスク引き出し方向に摺動自在に嵌合している。また、レール５ａ、５ｂは筐体２の両側部内面に設けられたレール取付部６とも光ディスク引き出し方向に摺動自在に嵌合しており、トレイ３は筐体２から光ディスクを着脱できるように引き出すことが出来る。
【００７３】
図８に示すように筐体２と、筐体２から出没自在に取り付けられたトレイ３と、筐体２とトレイ３を移動自在に保持する保持部を有し、保持部は筐体２に設けられたレール取付部６とトレイ３に設けられたレール取付部４とレール取付部４、６に摺動可能に設けられたレール５ａ、５ｂにより構成される光ディスク装置１において、少なくとも一方のレールは勘合もしくは摺動停止に供さない切り欠きや穴を設けた構成とする。
【００７４】
本実施の一形態では、レール５ａとレール５ｂの材質に通常一般的に用いられるステンレス材を用いる。レール５ｂは、図１２〜図１４に示す勘合もしくは摺動停止に供さない切り欠き１４や穴１５を設けた構成にする。
【００７５】
図１２〜図１４は本発明の一実施の形態における光ディスク装置のレールの外観図であり、それぞれの図においては（ａ）が右側のレール５ａで、（ｂ）が左側のレール５ｂを示している。
【００７６】
図１２（ｂ）に示す左側のレール５ｂは、図８に示す上部筐体部２ａに対向した平面部からその垂直方向平面部の一部に切り欠き１４を設けたものであり、図１３（ｂ）に示す左側のレール５ｂは、図８に示す下部筐体部２ｂ側に対向した平面部からその垂直方向平面部に切り欠き１４を設けたものである。
【００７７】
また、図１４（ｂ）に示す左側のレール５ｂは、図８に示す上部筐体部２ａと下部筐体部２ｂに対して垂直方向な面に対向した平面部に穴１５を設けたものである。
【００７８】
なお、本実施の形態では一例としてレール５ａ、レール５ｂの材質にステンレス材を用
いて、図１２〜図１４の構成としたが、材質についてはステンレス材に限定されるものではなく、また構成についても、レール５ｂの強度が弱まる方向やレール重量が軽量化される方向の切り欠きや穴の配置は図１２〜図１４の構成により現れる効果と同等の効果を有しているため、これらに限定されるものではない。
【００７９】
以下、その動作について説明する。
【００８０】
図８〜図１０に示す本発明のレールには、レール５ａとレール５ｂの材質に従来から用いられてきたステンレス材を用いる。ここで、右側のレール５ａは従来のレール構造とし、材質をステンレス材としたことで、右側のレール５ａのレール単体強度は従来通りの強度を維持することができる。
【００８１】
次に左側のレール５ｂは、通常であれば、同一材料で同一厚みのステンレス材が用いられるのであるが、本発明の一実施の形態においては右側のレール５ａと同一材料で同一厚みのステンレス材を用いることまでは同じであるが、さらに少なくとも一方のレール、すなわちレール５ｂに嵌合もしくは摺動停止に供さない切り欠きや穴を配置する。
【００８２】
これにより、レール５ｂ単体の強度は、レール５ｂの厚さに従来の形状のものを用いた場合と比較して相対的に弱まる。
【００８３】
ところが、図８に示す業界標準形状の筐体２の中に広く用いられるレールは、レール５ｂがレール５ａに対して全高が大きいため、レール５ｂはレール５ａよりも強度が強く、形状的にはレール５ａよりも強度が弱くなる。
【００８４】
このことにより、図９に示すように従来のレール５ａ、５ｂに同一材料を用いて、かつレール５ｂに嵌合もしくは摺動停止に供さない切り欠き１４や穴１５を設けた場合、光ディスク装着時の荷重８が原因で発生していたレール５ａに起因するたわみ量１０ａとレール５ｂに起因するたわみ量１０ｂの差が軽減され、図９、図１０に示すように光ディスクを装着する際に、かかる荷重８でトレイ３の右側のレール５ａが左側のレール５ｂより下方へ傾くことを軽減または防止して、光ディスク装着時に関する装着性の向上と光ディスク装着時に図１に示すトレイ３とトレイ３に隣接している部品すなわちレール５ａ、レール５ｂ、レール取付部４、レール取付部６、光ピックアップ７等にかかるねじれ応力の軽減を図ることができる。
【００８５】
そのため、長期繰り返し使用時におけるレールが変形することによるトレイ３の開閉機構の不具合や光ピックアップ７の位置ずれに起因する光ディスクへの情報の書き込みもしくは情報の読み出し動作の不具合を防ぐことが可能となる。
【００８６】
また、同時にレール５ｂにおいては、従来と同一材料で、同一形状の場合には、切り欠きや穴を設けたことにより重量も小さくなることになる。
【００８７】
そのため、光ディスク装置の本体重量の軽量化も同時に行うことが可能である。
【産業上の利用可能性】
【００８８】
本発明は、光ディスク装着性の向上と光ディスク装置本体重量の軽量化を図ることができ、パーソナルコンピュータ等の電子機器に内蔵もしくは外付けで使用される光ディスク装置などに適応可能である。
【図面の簡単な説明】
【００８９】
【図１】本発明の一実施の形態における光ディスク装置の外観図
【図２】本発明の一実施の形態における光ディスク挿入時の光ディスク装置にかかる荷重のイメージ図
【図３】本発明の一実施の形態における光ディスク装置の断面図
【図４】従来のトレイ方式光ディスク装置の外観斜視図
【図５】従来のトレイ方式における光ディスク挿入時の光ディスク装置にかかる荷重のイメージ図
【図６】従来のトレイ方式光ディスク装置の上方平面図
【図７】従来のトレイ方式光ディスク装置の断面図
【図８】本発明の一実施の形態における光ディスク装置の外観図
【図９】本発明の一実施の形態における光ディスク挿入時の光ディスク装置にかかる荷重のイメージ図
【図１０】本発明の一実施の形態における光ディスク装置の断面図
【図１１】本発明の一実施の形態における光ディスク装置のレールの外観図
【図１２】本発明の一実施の形態における光ディスク装置のレールの外観図
【図１３】本発明の一実施の形態における光ディスク装置のレールの外観図
【図１４】本発明の一実施の形態における光ディスク装置のレールの外観図
【図１５】従来のトレイ方式光ディスク装置のレールの外観図
【符号の説明】
【００９０】
１    光ディスク装置
２    筐体
２ａ    上部筐体部
２ｂ    下部筐体部
３    トレイ
４    レール取付部
５ａ    レール（右側）
５ｂ    レール（左側）
６    レール取付部
７    光ピックアップ
８    光ディスク装着時にかかる荷重
９ａ    たわみ量
９ｂ    たわみ量
１０ａ    たわみ量
１０ｂ    たわみ量
１１    スピンドルモータ
１２    ベゼル
１３    イジェクトボタン
１４    切り欠き
１５    穴
【図１】
2005259281.tif 000003
【図２】
2005259281.tif 000004
【図３】
2005259281.tif 000005
【図４】
2005259281.tif 000006
【図５】
2005259281.tif 000007
【図６】
2005259281.tif 000008
【図７】
2005259281.tif 000009
【図８】
2005259281.tif 000010
【図９】
2005259281.tif 000011
【図１０】
2005259281.tif 000012
【図１１】
2005259281.tif 000013
【図１２】
2005259281.tif 000014
【図１３】
2005259281.tif 000015
【図１４】
2005259281.tif 000016
【図１５】
2005259281.tif 000017